(57)【要約】【課題】吊り下げ式のスライドドアの揺れを防止すること。【解決手段】スライドドア１の下框１１には揺動部材１４に揺動板１７が設けられ、揺動板１７の一端側に揺動磁石２３を取付け、他端側には折り曲げ係合部２４を形成し、床面４には、固定磁石３５と規制板３６とを配設している。スライドドア１が閉鎖位置及び閉鎖位置の近傍にあるとき、揺動磁石２３と固定磁石３５との磁力が互いに反発仕合う位置にこれらの磁石２３，３５を配置し、これらの磁石２３，３５の反発力によって揺動板１７を係止部側に揺動させて、折り曲げ係合部２４を規制板３６に規制させることによってスライドドアを床面４に規制するようにした。【選択図】図３
2008291510.tif 000002
【特許請求の範囲】
【請求項１】
水平方向へ配置された懸架レールから吊り下げられ、該懸架レールに沿って移動するスライドドアを設け、該スライドドアの下端部を揺れ防止手段により規制して該スライドドアの戸先の揺れを防止するスライドドアの揺れ止め構造において、
前記揺れ防止手段は、スライドドア又は床面の各々に一対の磁石、又は磁石と磁性体とからなる吸引手段を設け、前記スライドドアの閉鎖位置及び該閉鎖位置の近傍で、前記吸引手段が吸引仕合う位置に配置し、かつこれらの吸引手段を上下方向に間隔を空けて配設するようにしたことを特徴とするスライドドアの揺れ止め構造。
【請求項２】
水平方向へ配置された懸架レールから吊り下げられ、該懸架レールに沿って移動するスライドドアと、該スライドドアの下端部を揺れ防止手段により規制して該スライドドアの戸先の揺れを防止するスライドドアの揺れ止め構造において、
前記揺れ防止手段は、前記スライドドアに取付けられこれらのスライドドア及び床面の間を揺動する揺動部材と、前記床面に取付けられる作動部材とを設け、
前記揺動部材には、前記作動部材に係合する係合部を形成し、前記作動部材には、前記係合部を前記スライドドアの移動方向に対して直角方向の移動を規制する係止部を設け、
１つ以上の磁石による吸引力若しくは２つ以上の磁石による反発力によって前記揺動部材を揺動させて、前記係合部を係止部に係止させて、前記スライドドアを前記床面に規制するようにしたことを特徴とするスライドドアの揺れ止め構造。
【請求項３】
水平方向へ配置された懸架レールから吊り下げられ、該懸架レールに沿って移動するスライドドアと、該スライドドアの下端部を揺れ防止手段により規制して該スライドドアの戸先の揺れを防止するスライドドアの揺れ止め構造において、
前記揺れ防止手段は、前記スライドドア又に取付けられこれらのスライドドア及び床面の間を揺動する揺動部材と、前記床面に取付けられ前記揺動部材を揺動させる作動部材とを設け、
前記揺動部材は、前記スライドドアの移動方向に沿って配設され、かつ前記揺動部材には揺動側磁石を取付けるとともに前記作動部材に係合する係合部を形成し、
前記作動部材には、前記床面に固定側磁石と前記係合部を前記スライドドアの移動方向に対して直角方向の移動を規制する係止部とを前記スライドドアの移動方向に沿って配設し、
前記スライドドアが閉鎖位置及び閉鎖位置の近傍にあるとき、前記揺動側磁石と前記固定側磁石との磁力が吸引仕合う位置にこれらの磁石を上下方向へ間隔を空けて配置し、前記揺動部材を前記係止部側に揺動させて、前記係合部を前記係止部に係止させることによって、前記スライドドアを前記床面に規制するようにしたことを特徴とするスライドドアの揺れ止め構造。
【請求項４】
水平方向へ配置された懸架レールから吊り下げられ、該懸架レールに沿って移動するスライドドアを設け、該スライドドアの下端部を揺れ防止手段により規制して該スライドドアの戸先の揺れを防止するスライドドアの揺れ止め構造において、
前記揺れ防止手段は、スライドドアに取付けられ、これらのスライドドア及び床面の間を揺動する揺動部材と、前記床面に取付けられ前記揺動部材を揺動させる作動部材とを設け、
前記揺動部材は、前記スライドドアの移動方向に沿う方向の一端側に揺動側磁石を取付け、他端側には前記作動部材に係合する係合部を形成し、かつ前記揺動部材の揺動軸を前記揺動側磁石と前記係合部との間に配設し、
前記作動部材には、前記床面に固定側磁石と、前記係合部を前記スライドドアの移動方向に対して直角方向の移動を規制する係止部とを前記スライドドアの移動方向に沿って配設し、
前記スライドドアが閉鎖位置及び閉鎖位置の近傍にあるとき、前記揺動側磁石と前記固定側磁石との磁力が互いに反発仕合う位置にこれらの磁石を配置し、これらの磁石の反発力によって前記揺動部材の他端を前記係止部側に揺動させて、前記係合部を前記係止部に規制させることによって前記スライドドアを前記床面に規制するようにしたことを特徴とするスライドドアの揺れ止め構造。
【請求項５】
前記揺動部材は前記スライドドアに配設し、前記作動部材を前記床面に配設し、
前記係止部は、前記床面に沿って配設される板材とする一方、前記係合部は前記スライドドアの移動方向に対して直角方向に間隔を空けて配設され、前記揺動部材から下側に突出する一対の規制板であって、該規制板が前記板材の側面を挟むようにして、前記規制板が前記板材に規制されるようにしたことを特徴とする請求項３又は４に記載のスライドドアの揺れ止め構造。
【請求項６】
前記揺動部材は前記スライドドアに配設された板バネ材であって、該板バネ材の一端が前記スライドドアに固定され、板バネ材の他端側に前記揺動側磁石と前記係合部を取付けたことを特徴とする請求項３に記載のスライドドアの揺れ止め構造。
【請求項７】
前記揺動部材の他端側と該揺動部材を支持する支持金具との間にスプリングを配設し、前記揺動側磁石と固定側磁石とが非係合状態にあるとき、前記揺動部材をスプリングによってもとの位置に戻すようにしたことを特徴とする請求項４に記載のスライドドアの揺れ止め構造。
【請求項８】
前記揺動側磁石と前記固定側磁石の一方の磁石を磁石でない磁性体としたことを特徴とする請求項１、３及び６のいずれか１項に記載のスライドドアの揺れ止め構造。
【発明の詳細な説明】
【技術分野】
【０００１】
本発明は、自動ドアに配設されている吊り下げ式のスライドドアの戸先の揺れを防止するスライドドアの揺れ止め構造に関する。
【背景技術】
【０００２】
建物の入口や建物内部の間仕切りなどに多くの自動ドアが配設されている。自動ドアの種類について多種あるが、懸架レールに吊り下げられ、懸架レールに沿って、スライドするスライドドアが多く利用されている。このようなスライド式ドアは、屋内に配設されているものは差ほどではないが、建物の入口などに取付けられているものは、風などの外力によってスライドドアが揺れるようなことがある。この揺れによってスライドドアの故障の原因になるようなことも考えられ、揺れを防止する必要がある。このような揺れを防止する機構では、溝などの段差をスライドドアの移動方向全体に亘って形成されているものがあり、溝にスライドドアの下端部に形成した嵌合部を溝に差し込んで、スライドドアの揺れ止めを防止している。しかしながら、このような溝は通路の通行の妨げとなるため、このような溝をなくすようにしたスライドドアの揺れ止め構造が下記の特許文献１及び特許文献２に開示されている。
【０００３】
下記の特許文献１に開示されているドアの揺れ止め構造によると、懸架レールから吊り下げられ、該懸架レールの一端から他端の間をスライド移動するスライドドアが設けられている。スライドドアの下端部には、スライドドアの移動方向に沿って延びる逆凹形状の溝を形成している。その一方、床面には、前記溝に対応させた凸状の揺れ止めガイド部品を中方立てに設置し、溝に揺れ止めガイド部品をはめ込むようにして、スライドドアの揺れを防止し、さらに床面に段差などを無くすようにしている。
【０００４】
また、下記の特許文献２に開示されているドアの揺れ止め構造によると、上記特許文献１と同様に、懸架レールからスライドドアが吊り下げられている。スライドドアの側部には、回転軸を上下方向に向けて、外周面をスライドドアの下側面に対面するようなローラを床面に設け、該ローラと中方立てとの間にスライドドアを挟むようにして、スライドドアの揺れを防止し、さらに床面に段差などを無くすようにしている。
【０００５】
【特許文献１】実開平５−８３２６２号公報
【特許文献２】実開平５−８３２６３号公報
【発明の開示】
【発明が解決しようとする課題】
【０００６】
上述したように、特許文献１では、凹部と凸部との嵌合により揺れを防止し、特許文献２では、ローラと中方立てとの間でスライドドアを規制することによって、スライドドアの揺れを防止している。
しかしながら、これらの揺れ止め構造は、いずれも中方立ての側に配設されているので、スライドドアの閉鎖位置で、戸先側の揺れを防止することができない。
本発明は、これらの特許文献１及び特許文献２と同様に、床面に溝などの段差などを無くし、若しくは通行の障害とならないようにできるだけ少なくするとともに、本発明ではさらに、スライドドアが閉鎖位置にあるときに戸先の揺れを防止し、さらには、スライドドアが多少軌道を外れながら閉じるようなときであっても、スライドドアの閉時には、ズレを補正して、スライドドアの正しい軌道に是正することができるスライドドアの揺れ止め構造を提供することを目的とする。
【課題を解決するための手段】
【０００７】
本発明のスライドドアの揺れ止め構造は上記目的を達成するために、水平方向へ配置された懸架レールから吊り下げられ、該懸架レールに沿って移動するスライドドアを設け、該スライドドアの下端部を揺れ防止手段により規制して該スライドドアの戸先の揺れを防止するスライドドアの揺れ止め構造において、前記揺れ防止手段は、スライドドア又は床面の各々に一対の磁石、又は磁石と磁性体とからなる吸引手段を設け、前記スライドドアの閉鎖位置及び該閉鎖位置の近傍で、前記吸引手段が吸引仕合う位置に配置し、かつこれらの吸引手段を上下方向に間隔を空けて配設するようにした。この前記一対の磁石は、一方の磁石を磁性体とすることができる。
本発明のスライドドアの揺れ止め構造は上記目的を達成するために、水平方向へ配置された懸架レールから吊り下げられ、該懸架レールに沿って移動するスライドドアと、該スライドドアの下端部を揺れ防止手段により規制して該スライドドアの戸先の揺れを防止するスライドドアの揺れ止め構造において、前記揺れ防止手段は、前記スライドドアに取付けられこれらのスライドドア及び床面の間を揺動する揺動部材と、前記床面に取付けられる作動部材とを設け、前記揺動部材には、前記作動部材に係合する係合部を形成し、前記作動部材には、前記係合部を前記スライドドアの移動方向に対して直角方向の移動を規制する係止部を設け、１つ以上の磁石による吸引力若しくは２つ以上の磁石による反発力によって前記揺動部材を揺動させて、前記係合部を係止部に係止させて、前記スライドドアを前記床面に規制するようにした。
また、本発明のスライドドアの揺れ止め構造は上記目的を達成するために、水平方向へ配置された懸架レールから吊り下げられ、該懸架レールに沿って移動するスライドドアと、該スライドドアの下端部を揺れ防止手段により規制して該スライドドアの戸先の揺れを防止するスライドドアの揺れ止め構造において、前記揺れ防止手段は、前記スライドドア又に取付けられこれらのスライドドア及び床面の間を揺動する揺動部材と、前記床面に取付けられ前記揺動部材を揺動させる作動部材とを設け、前記揺動部材は、前記スライドドアの移動方向に沿って配設され、かつ前記揺動部材には揺動側磁石を取付けるとともに前記作動部材に係合する係合部を形成し、前記作動部材には、前記床面に固定側磁石と前記係合部を前記スライドドアの移動方向に対して直角方向の移動を規制する係止部とを前記スライドドアの移動方向に沿って配設し、前記スライドドアが閉鎖位置及び閉鎖位置の近傍にあるとき、前記揺動側磁石と前記固定側磁石との磁力が吸引仕合う位置にこれらの磁石を上下方向へ間隔を空けて配置し、前記揺動部材を前記係止部側に揺動させて、前記係合部を前記係止部に係止させることによって、前記スライドドアを前記床面に規制するようにした。この前記一対の磁石は、一方の磁石を磁性体とすることができる。
さらに、本発明のスライドドアの揺れ止め構造は上記目的を達成するために、水平方向へ配置された懸架レールから吊り下げられ、該懸架レールに沿って移動するスライドドアを設け、該スライドドアの下端部を揺れ防止手段により規制して該スライドドアの戸先の揺れを防止するスライドドアの揺れ止め構造において、前記揺れ防止手段は、スライドドアに取付けられ、これらのスライドドア及び床面の間を揺動する揺動部材と、前記床面に取付けられ前記揺動部材を揺動させる作動部材とを設け、前記揺動部材は、前記スライドドアの移動方向に沿う方向の一端側に揺動側磁石を取付け、他端側には前記作動部材に係合する係合部を形成し、かつ前記揺動部材の揺動軸を前記揺動側磁石と前記係合部との間に配設し、前記作動部材には、前記床面に固定側磁石と、前記係合部を前記スライドドアの移動方向に対して直角方向の移動を規制する係止部とを前記スライドドアの移動方向に沿って配設し、前記スライドドアが閉鎖位置及び閉鎖位置の近傍にあるとき、前記揺動側磁石と前記固定側磁石との磁力が互いに反発仕合う位置にこれらの磁石を配置し、これらの磁石の反発力によって前記揺動部材の他端を前記係止部側に揺動させて、前記係合部を前記係止部に規制させることによって前記スライドドアを前記床面に規制するようにした。
【０００８】
上記スライドドアの揺れ止め構造の前記揺動部材は前記スライドドアに配設し、前記作動部材を前記床面に配設し、前記係止部は、前記床面に沿って配設される板材とする一方、前記係合部は前記スライドドアの移動方向に対して直角方向に間隔を空けて配設され、前記揺動部材から下側に突出する一対の規制板であって、該規制板が前記板材の側面を挟むようにして、前記規制板が前記板材に規制させることができる。
上記スライドドアの揺れ止め構造の前記揺動部材は前記スライドドアに配設された板バネ材であって、該板バネ材の一端が前記スライドドアに固定され、板バネ材の他端側に前記揺動側磁石と前記係合部を取付けるようにした。
上記スライドドアの揺れ止め構造は、前記揺動部材の他端側と該揺動部材を支持する支持金具との間にスプリングを配設し、前記揺動側磁石と固定側磁石とが非係合状態にあるとき、前記揺動部材をスプリングによってもとの位置に戻すようにした。
【発明の効果】
【０００９】
本発明は、揺動磁石と固定磁石の反発力若しくは吸引力によって、揺動部材をスライドドアと床面との間に配設し、揺動部材を揺動させることによって、スライドドアを床面に固定することができる。よって、スライドドアが外力などで揺れるようなときでも、揺れを防止できる。また、磁石の吸引力での吸引の場合は、スライドドアの開閉時にスライドドアの軌道が外れているような状態でも、磁力によってスライドドアの戸先の位置を正規の位置に戻すことができる。
【発明を実施するための最良の形態】
【００１０】
以下、本発明の実施形態によるスライドドアの揺れ止め構造について、図面を参照しながら説明する。
図１は、本発明にかかるスライドドアの揺れ止め構造を採用しているスライドドアの装着部を示し、スライドドア１は建物の出入り口に配設されている。このスライドドア１がスライドする領域の周囲は、懸架レール３、床面４、左右の縦方立て５，６から構成され、懸架レール３には、スライドドア１をスライド移動させるための機構部材収容部７が設けられている。機構部材収容部７には、スライドドア１を作動させるための駆動モータ、ベルトなどが設けられているが、これについては、周知の機構が使用できるので、詳細な説明は省略する。
【００１１】
スライドドア１は、上部に取付けられている吊り下げ部材９，９が、懸架レール３の機構部によって吊り下げられ、懸架レール３の一端から他端までスライド移動することができる。図１に示す状態では、スライドドア１は、閉鎖位置にあり、スライドドア１が矢印Ｘ方向にスライド移動すると、出入り口は開放される。
スライドドア１の下部と床面４には、スライドドア１の揺れ防止機構１０が配設されている。揺れ防止機構１０は、吊り下げられてフリー状態にあるスライドドア１の戸先の揺れを防止して、風などでスライドドア１に外力が加わったときに、スライドドア１の揺れを防止する働きをする。
【００１２】
以下、この揺れ止め防止機構１０について説明する。
揺れ止め防止機構１０は、スライドドア１の下端に横方向に延在する下框１１に設けられている揺動部材１４と、床面４に取付けられている作動部材１５とから構成されている。
図２に揺動部材を示し、図３は、揺動部材１４と作動部材１５が配設されている状態を示す。揺動部材１４は、各々が一方に長いほぼ矩形板である固定板１６と揺動板１７とを備え、固定板１６及び揺動板１７は、固定板１６を上にして、共にスライドドア１の移動方向Ｘに沿って延在する。
固定板１６は、左右両端部に各々取付孔１９を１個宛形成し、固定板１６は取付孔１９に差し込まれたスクリュー２０が下框１１の取付部に螺着することによって、下框１１に対して静止状態で固定される。固定板１６の左右中間部には、中間部より下側に突出する一対の支点板２１（図２中には一方のみ示す）が形成されている。
【００１３】
揺動板１７は、一端側の端部に揺動磁石２３を取付け、揺動磁石２３は接着剤などで取付けることができ、本実施形態では揺動磁石２３は揺動板１７の上面に固定したが、下面に固定してもよい。揺動板１７の他端側先端部には折り曲げ係合部２４を形成し、折り曲げ係合部２４は、図４のＡに示すように、揺動板１７の両側部から下向きに折り曲げるようにして形成されている。
揺動板１７の左右中間部には、該中間部から上側に突出するように折り曲げられた逆Ｕ字形状の一対の支持板２５が形成され、支持板２５の中央部には、支持孔２６が形成されている。一対の支持孔２６間には、揺動軸２７が軸支され、揺動軸２７は、固定板１６に設けた支点板２１に形成した図示しない軸孔を貫通し、揺動板１７は、この揺動軸２７を軸心にして揺動板１７の両端部を交互に上下動するようにして揺動することができる。
固定板１６のやや他端側及び揺動板１７のやや他端側には、各々バネ取付部３０，３１を設け、これらのバネ取付部３０，３１の間には、スプリング３４が引っ張り状態で配設され、揺動部材１４は、固定板１６と揺動板１７の他端側が近づく方向に、常時引っ張られている。
【００１４】
固定板１６の支点板２１には、揺動板１７の支持板２５側に突出する軸状のストッパ３２が形成され、支持板２５には、該支持板２５の周縁部から突出する凸部３３を形成している。揺動板１７が揺動するときには、ストッパ３２は凸部３３の揺動軌道上に形成され、ストッパ３２は、揺動板１７のストッパ３２としての役割を果たす。上述したように、固定板１６と揺動板１７はスプリング３４の作用によって、常時引き合う方向へ引っ張られているが、ストッパ３２に凸部３３が係止されることによって、通常状態では、固定板１６と揺動板１７とがほぼ平行、すなわち、揺動板１７が水平状態となるように配置されている。
なお、このストッパ３２と凸部３３については、図２に表している側の揺動部材１４の一側面にのみ設けてもよいが、図面に表れていない側にも設け、それらの両側面に設けてもよい。
【００１５】
図３に示すように、床面４には、揺動板１７を揺動させるともに、揺動板１７の動きを規制する作動部材１５が設けられている。作動部材１５は、スライドドア１の直下に配設されている固定磁石３５と係止部としての規制板３６とを備え、これらの固定磁石３５と規制板３６は床面４に併設されている。
図３のＣに示すように、スライドドア１が閉鎖した状態にて、揺動磁石２３と固定磁石３５とは上下関係の位置にあり、折り曲げ係合部２４と規制板３６とが上下関係の位置にある。また、揺動磁石２３と固定磁石３５は、Ｓ極とＳ極又はＮ極とＮ極と向かいあうように、磁力が反発するように配置されている。これらの磁石２３，３５の反発力は、スプリング３４のバネ力よりも大きなものを使用する。
図４のＢに示すように、規制板３６は、図１に示す左側壁枠５側が細くなる一対の傾斜面３８を形成し、右縦方立て６側ではほぼ矩形に形成されている。
【００１６】
このような構成により、スライドドア１の開状態では、図３のＡに示すように、揺動磁石２３と固定磁石３５との磁力が影響を及ぼさない遠く離れた位置にあり、揺動板１７は、図２に示すスプリング３４の引っ張り力と、ストッパ３２と凸部３３との係合により水平状態にある。スライドドア１が近づくと、図３のＢに示すように、互いの磁石２３，３５の磁力が、スプリング３４のバネ力に抗して、揺動板１７の揺動が始まる。そして、スライドドア１が閉鎖した状態では、さらに揺動磁石２３と固定磁石３５との水平位置が近づくことによって、図３のＣに示すように、揺動板１７の折り曲げ係合部２４がある側を下方に下げる。スライドドア１が閉鎖した状態では、これらの磁石２３，３５の反発力が最大となる。こうして、折り曲げ係合部２４が下方に位置する規制板３６を跨ぐようにして挟み込みことができる。このとき、規制板３６の傾斜面３８は、折り曲げ係合部２４をガイドする働きをする。ただし、この傾斜面３８は省略してもよい。
【００１７】
この折り曲げ係合部２４の規制板３６の挟み込みよって、スライドドア１のスライド方向に対して直角方向の移動が規制される。よって、外からスライドドア１を押圧するような外力が加わったときに、スライドドア１の揺れを防止することができる。なお、中方縦には、上述した特許文献２のローラなどのようなもので、揺れを規制すればより揺れ止めの効果は大きい。
スライドドア１が閉鎖位置から、開放位置になるときは、スライドドア１の移動によって、揺動磁石２３が固定磁石３５から離れ、これらの磁石２３，３５の反発力より、図２に示すスプリング３４のバネ力が大きくなり、揺動板１７をもとの水平状態の位置に戻すことができる。
【００１８】
次に、本発明のスライドドアの揺れ止め構造の第２の実施形態について説明する。なお、上記第１の実施形態と同じ構造については同一の符合を付して説明する。
図５Ａ〜Ｃを参照にして、スライドドア１の揺れ防止機構５０は、揺動部材としての板バネ５５と作動部材５２とから構成され、板バネ５５は、取付部材５４に揺動板としての板バネ５５を水平方向に向けて取付け、かつ一方向に長い板バネ５５をスライドドア１の移動方向に沿って配設し、右縦方立て６側に折り曲げ係合部２４を板バネの先端両側部から下側に突出させて形成している。板バネ５５の長手方向の中間部には揺動磁石５６が取付けられている。
作動部材５２はスライドドア１の直下に配設されている固定磁石５７と係止部としての規制板３６とを備え、これらの固定磁石５７と規制板３６は床面４に沿って併設されている。なお、本実施例では、これらの固定磁石５７と規制板３６は別体としたが、一体として配置してもよい。
【００１９】
図５のＣに示すように、スライドドア１の閉鎖位置では、揺動磁石５６と固定磁石５７とが上下関係の位置にあり、折り曲げ係合部２４と規制板３６とが上下関係の位置にある。本実施形態では、揺動磁石５６と固定磁石５７は、Ｓ極とＮ極のように磁力が吸引するように配置されている。これらの磁石５６，５７の吸引力は、板バネ５５のバネ力よりも大きなものを使用する。
折り曲げ係合部２４及び規制板３６の形状は、上記第１の実施形態で説明した図４のＡ及びＢに示すものと同じである。
【００２０】
このような構成により、スライドドア１の開状態では、図５のＡに示すように、揺動磁石５６と固定磁石５７との磁力が影響を及ぼさない遠く離れた位置にあり、板バネ５５は、図５のＡに示すように、水平状態にある。スライドドア１が閉鎖位置の直前まで移動すると、図５のＢに示すように、互いの磁石５６，５７の磁力が、スプリング３４のバネ力に抗して、板バネ５５の揺動が始まる。そして、スライドドア１が閉鎖した状態では、さらに揺動磁石５６と固定磁石５７との水平方向距離が近づいて、上下位置に近づくにつれて、図５のＣに示すように、板バネ５５の折り曲げ係合部２４がある側（自由端側）を下方に下げる。スライドドア１が閉鎖した状態では、これらの磁石５６，５７が引き合って吸引力が最大となるようにするのが好ましい。こうして、折り曲げ係合部２４が下方に位置する規制板３６を跨ぐようにして挟み込むことができる。
【００２１】
この折り曲げ係合部２４の規制板３６の挟み込みよって、スライドドア１のスライド方向に対して直角方向の移動が規制される。よって、スライドドア１を押圧するような外力が作用するときに、スライドドア１の揺れを防止することができる。
さらに、本実施形態では、スライドドア１の下端側にある下框１１がスライドドア１のスライド方向に対して直角方向にずれているような状態であっても、スライドドア１を固定磁石５７の磁気中心の位置に戻す作用がある。すなわち、揺動磁石５６と固定磁石５７をスライドドア１の正規の軌道になるように配置することによって、揺動磁石５６と固定磁石５７との吸引力によって、スライドドア１を正規の位置にすることができる。
スライドドア１が閉鎖位置から、開放位置に移動するときは、スライドドア１の移動によって、揺動磁石５６が固定磁石５７から離れることによって、これらの磁石５６，５７の吸引力が失われて、図５に示す板バネ５５のバネ力が大きくなり、揺動板１７をもとの水平状態の位置に戻すことができる。
【００２２】
［変形例１］
上記第１及び第２の実施形態では、揺動板１７及び板バネ５５の他端側に、断面がコ字形状の折り曲げ係合部２４を形成し、作動部材１５には、規制板３６を配設したが、折り曲げ係合部２４及び規制板３６については種々の形状が適用できる。
図６に示すように、スライドドア１側に配設した揺動板１７及び板バネ５５の端部を平板材６０で形成している。その一方、床面４には、該床面の基準面（スライドドアがある部分のフロアの一般面）６３よりも低い位置に、上記先端部６１を収容する窪みを形成した凹部材６２を設けている。このような、平板状の先端部６１と凹部材６２によっても、スライドドア１を床面４に規制することができる。
［変形例２］
図７は、揺動部材を省略して磁石のみで揺れ止めを施した例を示す。
図に示すように、スライドドア１及び床面４の各々に磁石７０，７１を配設している。これらの磁石７０，７１は、スライドドア１が閉鎖した状態で上下方向に重なる位置になるように、かつ間隔を空けて配設している。磁石７０，７１の向きは磁石７０，７１の極性が異極（Ｓ極とＮ極）同士で向き合うように配置している。通常は、スライドドア１の下端と床面４とは１０ｍｍ程度の隙間がある。磁石７０，７１の間隔Ｌは、少なければ少ないほど好ましいが、本実施形態では磁石の厚さが３ｍｍであるので、間隔Ｌは４ｍｍにしている。磁石７０，７１を接するように配置しないのは、スライドドア１の開放時に磁石の強力な吸引力によって、スライドドア１が移動しにくくなるからである。
このように、磁石７０，７１のみによっても、磁石７０，７１の吸引力によって、スライドドア１の揺れを防止できる。また、円Ｚに示すように、平面方向から見てスライドドア１が床面４の磁石７１の磁気中心からずれているような場合に、スライドドア１の磁石７０が固定されている磁石７１に吸引されて、スライドドア１を正規の位置に戻す役割を果たす。なお、スライドドア１の磁石７０及び固定用の磁石７１を、各々突出させて配設しているが、いずれか一方の磁石７０，７１若しくは両者を埋設してもよい。
【００２３】
以上、本発明を実施形態に基づいて添付図面を参照しながら詳細に説明したが、本発明は上記各実施形態及び上記各変形例に限定されるものではなく、本発明の範囲を逸脱することなく、更に他の種々の変形あるいは修正が可能である。
例えば、上記第２の実施形態においては、揺動磁石５６と固定磁石５７を用いて、互いの磁石が吸引仕合うようにしたが、揺動磁石５６と固定磁石５７の一方のみを磁石とし、他方を磁石でない鉄などの磁性体としてもよい。一方の磁石によって他方の磁性体が吸引されるので、上記第２の実施形態と同様な効果がある。
また、作動部材１５，５２側の固定磁石３５，５７を床面４から突出させたが、床面４に埋設して、床面と面一にしてもよい。
【図面の簡単な説明】
【００２４】
【図１】本発明のスライドドアの揺れ止め構造を採用しているスライドドアの正面図である。
【図２】本発明のスライドドアの揺れ止め構造の第１の実施形態におけるスライドドアに配設されている揺動部材の斜視図である。
【図３】本発明の第１の実施形態におけるスライドドア及び床面に配設されている揺れ防止機構であって、Ａはスライドドアが閉じる前の状態で揺動磁石と固定磁石との磁力が影響していない状態の正面図、Ｂはスライドドアがさらに閉じる方向へ移動し、揺動磁石が固定磁石の磁界に侵入し、互いの磁石の磁力が反発し始めた状態の正面図、Ｃはスライドドアが閉じて揺動磁石と固定磁石との磁力が大きく反発し、揺動板の他端が下側に揺動した状態の正面図である。
【図４】本発明の第１の実施形態における揺動板の他端部に設けられている折り曲げ係合部と規制部材との係合状態を表し、Ａは側面方向からの断面図、Ｂは平面図である。
【図５】本発明の第２の実施形態におけるスライドドア及び床面に配設されている揺れ防止機構であって、Ａはスライドドアが閉じる前の状態で揺動磁石と固定磁石との磁力が影響していない状態の正面図、Ｂはスライドドアがさらに閉じる方向へ移動し、揺動磁石が固定磁石の磁界に侵入し、互いの磁石の磁力が吸引し始めた状態の正面図、Ｃはスライドドアが閉じて揺動磁石と固定磁石との磁力が吸引し、揺動板の他端が下側に揺動した状態の正面図である。
【図６】本発明の第１及び第２の実施形態で用いた規制部である折り曲げ係合部と規制板の他の態様を示した変形例１であり、Ａは正面方向から見た断面図、Ｂは平面図である。
【図７】本発明の変形例２であって、磁石のみを用いた揺れ止め構造の正面図であり、円Ｚはスライドドアが閉じる直前の磁石が重なり合う直前の平面図である。
【符号の説明】
【００２５】
１  スライドドア
３  懸架レール
４  床面
１０，５０  揺れ防止機構
１１  下框
１４，５１  揺動部材
１５，５２  作動部材
１７  揺動板
２３，５６  揺動磁石
２４  折り曲げ係合部
３２  ストッパ
３３  凸部
３５，５７  固定磁石
３６  規制板
５５板バネ
６１  先端部
６２  凹部材
【図１】
2008291510.tif 000003
【図２】
2008291510.tif 000004
【図３】
2008291510.tif 000005
【図４】
2008291510.tif 000006
【図５】
2008291510.tif 000007
【図６】
2008291510.tif 000008
【図７】
2008291510.tif 000009